(57)【要約】  本発明は、リサイクリング中にバルブ本体アッセンブリーに損傷を与えることなく、バルブ本体アッセンブリーおよび樽から不正開封防止リングを抜き取る工具を提供する。本発明の工具は、軸周りに軸方向に配置された複数の爪を有することを特徴とし、各爪は、少なくともひとつの爪先を有し、爪を運動可能に支持し、少なくとも第１の位置から第２の位置に動かすアクチュエータ機構を有し、ここに、第１の位置にある爪は少なくともひとつの爪先を不正開封防止リングに引っかけるように適合し、第２の位置に動いたとき、爪は少なくともひとつの爪先をバルブ本体アッセンブリーの軸に向かって半径方向内側に、かつ、第１の位置に対して垂直方向上側に動かして不正開封防止リングとかみ合い、バルブアッセンブリーから持ち上げることができる。
2007537887.tif 000002
【特許請求の範囲】
【請求項１】
中心軸を有し、容器に組み合わされたバルブアッセンブリーから不正開封防止リングを抜き取るための工具であって、
前記軸周りに間隔を開けて軸方向に配置され、各々が少なくともひとつの爪先を有する複数の爪；および
前記爪を運動可能に支持し、少なくとも第１の位置から第２の位置に動かすアクチュエータ機構を含み、
ここに、前記第１の位置にある爪が、前記不正開封防止リング上に置かれる少なくともひとつの爪先を有し；および
ここに、前記第２の位置にある爪が、前記バルブアッセンブリーの軸に向かって半径方向内側で、かつ、第１の位置に対して垂直上向きに動いて、前記不正開封防止リングとかみ合い、前記バルブ本体アッセンブリーから持ち上げる少なくともひとつの爪先を有することを特徴とする工具。
【請求項２】
前記アクチュエータ機構が、前記爪を第２の位置から第３の位置に動かすように適合し、ここに、第３の位置にある爪が、前記第２の位置に対して少なくともひとつの爪先を半径方向外側に動かして前記不正開封防止リングを前記爪から解放する請求項１に記載の工具。
【請求項３】
前記爪の各々が、互いに半径方向にオフセットした先導爪先および後続爪先を有し、少なくとも前記先導爪先は、第１の位置にあるとき、不正開封防止リング上に置かれ、第２の位置にあるとき、前記先導爪先は前記不正開封防止リングを突き刺し、前記後続爪先は、少なくとも前記不正開封防止リングとかみ合う請求項１または２に記載の工具。
【請求項４】
前記アクチュエータ機構が４つの爪を支持し、
上下ストロークで水平維持運動可能なクロスビーム支持体；および
各々が前記クロスビーム支持体のビーム末端部と旋回可能に連結された第１のリンク末端部および前記爪の第１の爪末端部と旋回可能に連結された第２のリンク末端部を有する４つのリンクアームを含み、
前記爪の各々は中間ピボット点を有し、少なくともひとつの爪先が前記中間ピボット点周りに回転して、前記クロスビーム支持体が下向きストロークで動くと、前記爪を第１の位置に運び、前記クロスビーム支持体が上向きストロークで動くと、前記爪を第２の位置に運ぶ請求項１または２に記載の工具。
【請求項５】
前記アクチュエータ機構が４つの爪を支持し、
上下ストロークで水平維持運動可能なクロスビーム支持体；および
各々が前記クロスビーム支持体のビーム末端部と旋回可能に連結された第１のリンク末端部および前記爪の第１の爪末端部と旋回可能に連結された第２のリンク末端部を有する４つのリンクアームを含み、
前記爪の各々は中間ピボット点を有し、少なくともひとつの爪先が前記中間ピボット点周りに回転して、前記クロスビーム支持体が下向きストロークで動くと、前記爪を第１の位置に運び、前記クロスビーム支持体が上向きストロークで動くと、前記爪を第２の位置に運ぶ請求項３に記載の工具。
【請求項６】
前記爪の各々が、前記クロスビーム支持体に対して垂直運動可能であり、第２の位置から第３の位置への前記爪の運動を作動する請求項５に記載の工具。
【請求項７】
第２の位置から第３の位置への前記爪の運動を開始する手段を含む請求項１に記載の工具。
【発明の詳細な説明】
【技術分野】
【０００１】
本発明は、不正開封防止リングをアルコール飲料容器から取り外すための不正開封防止リング抜き取り工具に関する。
【背景技術】
【０００２】
容器すなわち樽にアルコールおよびビールを収容することが知られている。ビール樽の場合、樽内に収納されたビール収容バッグに圧力をかけて、樽内に収容されたバッグからバルブ本体アッセンブリーを通してビールを注ぎ出す。
【０００３】
樽からのバルブ本体アッセンブリーの取り外しを防止するため、または、誰かがバルブ本体アッセンブリーを開封してしまったことを見てわかるようにするために、不正開封防止リングを用いることが知られている。不正開封防止リングは、普通、バルブ本体アッセンブリーの外周に取り付け、バルブ本体アッセンブリーとバルブ本体アッセンブリーを取り巻く樽ショルダーを覆う。さらに、不正開封防止リングは、バルブ本体アッセンブリーを通過する空気抜きを閉鎖するために用いられてきた。不正開封防止リングを空気抜きから取る、すなわち、容器から取り外すと、バッグと樽インナーライナー壁との間の圧縮空気が安全に空気抜きから抜ける。
【０００４】
その本来の目的によって、不正開封防止リングは樽およびバルブ本体アッセンブリーからの取り外しが簡単ではない。しかしながら、不正開封防止リングは、再充填のために樽をリサイクルする際に取り外さなければならない。不正開封防止リングを取り外すと、バルブ本体アッセンブリーおよびバッグが樽から外せる。そして、バッグを処理する。バルブ本体アッセンブリーおよび樽は洗浄し、再利用する。この手順の間、再利用できるようにするために、バルブ本体アッセンブリーに損傷を与えないことが重要である。したがって、リサイクリング中にバルブ本体アッセンブリーに損傷を与えることなく、バルブ本体アッセンブリーおよび樽から不正開封防止リングを取り外す機構の提供が必要である。
【発明の開示】
【０００５】
発明の概要
本発明は、軸を有するバルブアッセンブリーから不正開封防止リングを抜き取る工具に関する。この工具は、軸周りに軸方向に配置された複数の爪を有する。各爪は、少なくともひとつの爪先を有する。アクチュエータ機構は爪を運動可能に支持し、少なくとも第１の位置から第２の位置に動かす。第１の位置にある爪は少なくともひとつの爪先を不正開封防止リングに引っかけるように適合する。第２の位置に動いたとき、爪は少なくともひとつの爪先をバルブ本体アッセンブリーの軸に向かって半径方向内側に、かつ、第１の位置に対して垂直方向上側に動かして不正開封防止リングとかみ合い、バルブアッセンブリーから持ち上げる。
【０００６】
本発明の実施において、不正開封防止リングをバルブアッセンブリーから引っ張るまたは抜き取る適切なてこの作用を得るため、少なくとも２つの爪が必要であると理解すべきである。あるいは、３つの爪をバルブ本体アッセンブリーの軸周りに等角度で軸方向に配置することができる。好ましい構成において、バルブ本体アッセンブリーの軸周りに９０゜間隔で等しく配置した４つの爪を用いることができる。
【０００７】
本発明によれば、アクチュエータ機構が爪を第２の位置から第３の位置に動かすように適合していてもよいことが意図される。第３の位置において、少なくともひとつの爪が第２の位置に対して半径方向外側に動いて、爪から不正開封防止リングを解放する。
【０００８】
好ましい構成において、爪は互いに半径方向にオフセットした先導爪先および後続爪先を有する。第１の位置において、少なくとも先導爪先が不正開封防止リングを引っかける。第２の位置にあるとき、先導爪先は不正開封防止リングを突き刺し、後続爪先は少なくとも不正開封防止リングとかみ合う。
【０００９】
好ましい構成において、アクチュエータ機構が上下ストロークで水平維持運動可能なクロスビーム支持体を含むことが意図される。クロスビーム支持体は、各々がクロスビーム支持体のビーム末端部に旋回可能に連結された第１のリンク末端部を有する４つのリンクアームを支持する。４つのリンクアームの各々は、爪の第１の爪末端部に旋回可能に連結された第２のリンク末端部を有する。爪の各々は中間ピボット点を有し、クロスビーム支持体が下向きストロークで動くと、中間ピボット点周りに爪先が回転して爪を第１の位置に運ぶ。クロスビーム支持体が上向きストロークで動くと、爪は第２の位置に運ばれる。爪がクロスビーム支持体に対して垂直に動いて、第２の位置から第３の位置への爪の運動をもたらすことがさらに意図される。この運動をもたらすため、シリンダー機動部材の形態のさらなる手段を中間ピボットに付けて爪を第２の位置から第３の位置に動かすことが意図される。
【００１０】
本発明の本質および目的をより理解するために、付随する模式図を参照することができる。
【００１１】
発明の詳細な説明
図１に言及すると、チャイム１２が取り付けられたアルコール容器すなわちビール樽１０の上部が示されている。ビール樽１０は上壁１４を有する。上壁１４は中央開口１５を有し、バルブ本体アッセンブリー１６を受容する。
【００１２】
バルブ本体アッセンブリー１６はハブ１７を有し、そこにはバッグ（図示せず）まで延在する中央スピア１８が連結されている。アルコールまたはビールは、ハブ１７内のバルブ（図示せず）およびスピア１８を通って、樽１０を出入りする。バルブ本体アッセンブリー１６のハブ１７は、さらなるバルブ（図示せず）をさらに含み、バッグおよび樽１０の内部に圧力をかけるために用いられる。バルブアッセンブリー１６は垂直に延在する軸２１に沿った向きで示されている。
【００１３】
バルブ本体アッセンブリー１６は栓２０を有し、ハブ１７を樽１０の上面１４にある中央開口のエッジ２２に連結する。
【００１４】
図１の左側に言及すると、バルブ本体アッセンブリーの左側に取り付けられている不正開封防止リング２４が示されている。不正開封防止リング２４はバルブ本体アッセンブリー１６に固定されて位置にある。この固定位置において、不正開封防止リング２４は樽上面１４の一部とバルブ本体アッセンブリー１６の一部をカバーしている。
【００１５】
図１において、左側が固定位置にある不正開封防止リング２４を、右側がバルブ本体アッセンブリー１６から抜き取られた不正開封防止リング２４を図示していることを理解すべきである。この分割斜視図を用いて、不正開封防止リング２４の固定および抜き取りの双方を図示する。実際には、不正開封防止リング２４は、少なくとも実質的には均一にバルブ本体アッセンブリーから抜き取られる。
【００１６】
図１に言及すると、不正開封防止リング２４をバルブ本体アッセンブリー１６から抜き取るための工具３０が示されている。この工具３０は、互いに対して直角に延在し、中心で交わる一対のクロスビーム支持体３２を含む。図１には、クロスビーム支持体３２のうちの一つだけが示されている。クロスビーム支持体３２の左側と右側は、実際には、一つのビームを別々の位置で示していることが理解されるべきである。クロスビーム３２は４つのビーム末端部３４を有し、そのうちの２つが図１に示されている。クロスビーム３２は、矢印３６で示す下向きストロークおよび矢印３８で示す上向きストロークで水平維持運動可能である。
【００１７】
この抜き取り工具は４つのリンクアーム４０をさらに含み、それらは第１のリンク末端部４２にて対応する第１のビーム末端部３４と旋回可能に連結される。４つのリンクアーム末端部４０の各々は、第２のリンク末端部４４を有し、それは爪５０の爪先末端部４６と旋回可能に連結されている。爪５０の各々は、中間ピボット点５２ならびに一対の爪先５４および５６を有する。爪５０は、凹面５７で形作られ、それは軸２１に対面し、爪末端部４６と爪先５４との間に延在する。
【００１８】
本発明によれば、爪５０は軸２１周りに間隔を開けて軸方向に配置される。クロスビーム３４および４つのリンクアーム４０をクロスビームと中間ピボット点５２に適宜取り付けられた水圧シリンダー（図示せず）と共に含む工具アクチュエータ機構は、少なくとも図１の左側に示される第１の位置と図１の右側に示される第２の位置との間で爪５０を運動可能に支持する。
【００１９】
図１の右側に示される第１の位置において、爪５０は、不正開封防止リング２４の上部に置かれる先導爪先５４を有するように適合する。後続爪先５６は爪先５４から半径方向外側に位置するように示され、樽１４の上面の上方かつ非接触で支持される。クロスビーム支持体３２が矢印３８で示される上向きストロークで動くと、中間リンクアーム４０はクロスビーム支持体３２に対して旋回し、爪５０をその中間ピボット点５２周りに旋回して、爪先５４および５６をバルブ本体アッセンブリー１６の軸２１に向かって半径方向内側に動かす。また、この旋回運動で、爪先５４および５６は図の左側に示される第１の位置かに対して垂直上向きに動いて、不正開封防止リング２４とかみ合いバルブ本体アッセンブリー１６から持ち上げる。図１の右側に示される第２の位置において、先導爪先５４は不正開封防止リング２４を突き刺している。後続爪先５６は不正開封防止リング２４とかみ合い、捕らえる。
【００２０】
アクチュエータ機構の矢印３８で示される上向きストロークは、不正開封防止リング２４がバルブ本体アッセンブリー１６の上部から外れるまで継続される。この時点で、クロスビーム３２はその上向き運動を止めるが、爪５０の中間点５２に連結されたアクチュエータピストンシリンダー（図示せず）は爪５０を持ち上げ続ける。この結果、爪５０は、クロスビーム３２に対して、図１の左側に示された様な位置に動く。換言すると、クロスビーム３２は、実質的に図１の右側に示された場所に位置し、リンク４０および爪５０は図１の右側に示されたような場所に位置する。第２の位置から第３の位置に、爪５０がピボット点５２周りに半径方向外側に回転すると、爪先５４および５６が図２に示される位置に対して半径方向外側に動き、それによって、不正開封防止リング２４を爪５０から解放する。ここで、一旦、樽１０が工具３０の下に位置し、不正開封防止リング２４が取り外されれば、工具３０は、いつでも下向きストローク３６で動ける。
【００２１】
本発明の工具３０の使用は、適所でバルブ本体アッセンブリー１６に正しく固定されている不正開封防止リング２４の簡単な抜き取りを可能とする。工具３０は、不正開封防止リング２４を効率よく抜き取るが、樽１０の上面１４と接触せず、バルブ本体アッセンブリー１６とも直接接触しない。その結果、この工具は、不正開封防止リングの抜き取り中にバルブ本体アッセンブリーを損傷することも樽１０の上面１４を損傷することもない。
【図面の簡単な説明】
【００２２】
【図１】２つの位置にある爪を示す本発明の不正開封防止リング抜き取り工具の分割断面図。
【図１】
2007537887.tif 000003
【国際調査報告】
2007537887.tif 000004
2007537887.tif 000005
2007537887.tif 000006